【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
インクジェットヘッドのインクノズル面をキャッピングしたキャッピング位置および当該位置から退避した退避位置を往復移動可能なヘッドキャップと、
前記ヘッドキャップからインクを吸引するためのインク吸引ポンプと、
前記ヘッドキャップおよび前記インク吸引ポンプを駆動するための共通の回転駆動源と、
回転運動を前記ヘッドキャップの往復運動に変換するための円筒カムと、
前記回転駆動源から回転駆動力が伝達される前記インク吸引ポンプの駆動力入力要素であるポンプ歯車と、
前記ポンプ歯車の回転を前記円筒カムに伝達する摩擦クラッチ機構とを有しており、
前記円筒カムは、時計回りの回転停止位置および反時計回りの回転停止位置が予め設定されている有限回転型のものであり、当該円筒カムは、各回転停止位置に至ると前記摩擦クラッチ機構の滑りによって各回転停止位置に停止することを特徴とするインクジェットプリンタのヘッドメンテナンス機構。
【請求項２】
請求項１において、
前記円筒カムの外周面に形成された円周方向に所定の角度範囲に亘って延びるカム溝と、
このカム溝に沿って摺動可能なヘッドキャップ駆動用のキャップ側移動ピンとを有していることを特徴とするインクジェットプリンタのヘッドメンテナンス機構。
【請求項３】
請求項１または２において、
予め定まった位置に配置されている固定側係合部と、前記円筒カムに形成されている第１および第２の回転側係合部とを有しており、
前記円筒カムの時計回りの回転停止位置は、前記第１の回転側係合部が前記固定側係合部に当たることにより規定され、
前記円筒カムの反時計回りの回転停止位置は、前記第２の回転側係合部が前記固定側係合部に当たることにより規定されることを特徴とするインクジェットプリンタのヘッドメンテナンス機構。
【請求項４】
請求項２において、
前記円筒カムの時計回りの回転停止位置は、前記カム溝における円周方向の一方のカム溝端面に前記キャップ側移動ピンが当たることにより規定され、
前記円筒カムの反時計回りの回転停止位置は、前記カム溝における円周方向の他方のカム溝端面に前記キャップ側移動ピンが当たることにより規定されることを特徴とするインクジェットプリンタのヘッドメンテナンス機構。
【請求項５】
請求項３または４において、
前記ポンプ歯車および前記円筒カムは同軸状態に配列されていることを特徴とするインクジェットプリンタのヘッドメンテナンス機構
【請求項６】
請求項５において、
前記摩擦クラッチ機構は、前記ポンプ歯車の円形端面と、前記円筒カムの円形端面と、これら円形端面を弾性力によって常に押し付けているばね部材とを備えていることを特徴とするインクジェットプリンタのヘッドメンテナンス機構。
【請求項７】
請求項５において、
前記インク吸引ポンプは、前記ポンプ歯車が時計回りおよび反時計回りのいずれか一方に回転した場合にのみポンピング動作を行うチューブポンプであることを特徴とするインクジェットプリンタのヘッドメンテナンス機構。
【請求項８】
請求項６において、
前記ヘッドキャップは、
前記インクノズル面に対峙する側が開口しているキャップ本体と、
このキャップ本体を保持しているキャップホルダと、
前記インクノズル面にキャッピングされた状態の前記キャップ本体内部を大気開放するための大気開放弁と、
前記キャップ本体を前記キャップホルダから突出する方向に付勢している付勢部材とを備えており、
この付勢部材の付勢力に逆らって前記キャップ本体を所定量だけ押し込むと、前記大気開放弁が閉状態に切り換わることを特徴とするインクジェットプリンタのヘッドメンテナンス機構。
【請求項９】
請求項８において、
前記カム溝は、
前記キャップホルダを前記インクノズルに最も接近したインク吸引位置に押し出して当該位置に保持する第１のカム溝部分と、
前記キャップホルダを前記インク吸引位置から後退したインク空吸引位置に保持する第２のカム溝部分とを備えており、
前記インク吸引位置では前記キャップ本体が、前記大気開放弁が閉状態で前記インクノズル面にキャッピングされ、
前記インク空吸引位置では前記キャップ本体が、前記大気開放弁が開状態で前記インクノズル面にキャッピングされることを特徴とするインクジェットプリンタのヘッドメンテナンス機構。
【請求項１０】
請求項９において、
前記第１のカム溝部分に位置している前記キャップ側移動ピンを前記第２のカム溝部分に案内する案内用カム溝部分を備えており、
前記第１のカム溝部分のカム溝端面付近に位置している前記キャップ側移動ピンが、当該カム溝端面から離れる方向に移動すると、当該キャップ側移動ピンは前記案内用カム溝部分に沿って前記第２のカム溝部分に案内されることを特徴とするインクジェットプリンタのヘッドメンテナンス機構。
【請求項１１】
請求項１０において、
前記第１のカム溝部分は、その溝深さが前記カム溝端面に向けて漸減した部分を備えており、
前記案内用カム溝部分は、その一端が前記第１のカム溝部分の溝深さの漸減部分付近に繋がっており、他端が前記第２のカム溝部分に繋がっていることを特徴とするインクジェットプリンタのヘッドメンテナンス機構。
【請求項１２】
請求項１０において、
前記円筒カムに形成されている前記カム溝は３６０度以内の角度範囲に亘って形成された連続したカム溝であることを特徴とするインクジェットプリンタのヘッドメンテナンス機構。
【請求項１３】
請求項１ないし１２のうちのいずれかの項において、
前記円筒カムと一体回転するように当該円筒カムに同軸状態に配置された間欠歯車を有しており、
この間欠歯車には、前記円筒カムの有限回転角度範囲内の所定の回転角度範囲において前記回転駆動源の側から回転力が伝達されることを特徴とするインクジェットプリンタのヘッドメンテナンス機構。
【請求項１４】
インクジェットヘッドのインクノズル面をキャッピングするためのヘッドキャップと、
前記インクノズル面をワイピングするためのワイパと、
前記ヘッドキャップからインクを吸引するためのインク吸引ポンプと、
前記ヘッドキャップ、前記ワイパおよび前記インク吸引ポンプを駆動するための共通の回転駆動源と、
この回転駆動源の回転駆動力を前記ヘッドキャップ、前記ワイパおよび前記インク吸引ポンプに伝達する動力伝達機構とを有しており、
この動力伝達機構は、
円筒カムと、
この円筒カムのカム溝に沿って摺動可能であり当該円筒カムの回転に伴って移動するヘッドキャップ移動用のキャップ側移動ピンと、
前記カム溝に沿って摺動可能であり前記円筒カムの回転に伴って移動するワイパ移動用のワイパ側移動ピンと、
前記円筒カムに同軸状態で配置されており前記インク吸引ポンプの駆動力入力要素であるポンプ歯車と、
前記円筒カムが前記ポンプ歯車と一体回転するように所定の摩擦力でこれら円筒カムおよびポンプ歯車を係合させている摩擦クラッチ機構と、
前記ポンプ歯車に前記回転駆動源からの回転駆動力を伝達する駆動歯車と、
前記円筒カムの第１の回転方向の回転停止位置および第２の回転方向の回転停止位置を規定している回転停止位置規定部とを有し、
前記円筒カムのカム溝は、
前記円筒カムが第２の回転方向に回転すると前記ワイパ側移動ピンが当接あるいは当接直前の位置に到る第１のカム溝端面と、この第１のカム溝端面に連続して前記ワイパ側移動ピンを移動させるワイパ移動領域と、前記キャップ側移動ピンを移動させるキャップ移動領域と、このキャップ移動領域の端に形成され、前記円筒カムが第１の回転方向に回転すると前記キャップ側移動ピンが当接あるいは当接直前の位置に到る第２のカム溝端面とを備えていることを特徴とするインクジェットプリンタのヘッドメンテナンス機構。
【請求項１５】
請求項１４において、
前記ヘッドキャップは、
前記インクノズル面に対峙する側が開口しているキャップ本体と、
このキャップ本体を保持しているキャップホルダと、
前記インクノズル面にキャッピングされた状態の前記キャップ本体内部を大気開放するための大気開放弁と、
前記キャップ本体を前記キャップホルダから突出する方向に付勢している付勢部材とを備えており、
この付勢部材の付勢力に逆らって前記キャップ本体を所定量だけ押し込むと、前記大気開放弁が閉状態に切り換わることを特徴とするインクジェットプリンタのヘッドメンテナンス機構。
【請求項１６】
請求項１５において、
前記カム溝の前記キャップ移動領域は、
前記キャップホルダを前記インクノズルに最も接近したインク吸引位置に押し出して当該位置に保持する第１のカム溝部分と、
前記キャップホルダを前記インク吸引位置から後退したインク空吸引位置に保持する第２のカム溝部分とを備えており、
前記インク吸引位置では前記キャップ本体が、前記大気開放弁が閉状態で前記インクノズル面にキャッピングされ、
前記インク空吸引位置では前記キャップ本体が、前記大気開放弁が開状態で前記インクノズル面にキャッピングされることを特徴とするインクジェットプリンタのヘッドメンテナンス機構。
【請求項１７】
請求項１６において、
前記第１のカム溝部分の一端は前記第２のカム溝端面によって規定されており、
前記カム溝は更に、前記第２のカム溝端面の側に前記キャップ側移動ピンが位置している状態から前記円筒カムが前記第２の回転方向に回転すると、前記キャップ側移動ピンを前記第２のカム溝部分に案内する案内用カム溝部分を備えていることを特徴とするインクジェットプリンタのヘッドメンテナンス機構。
【請求項１８】
請求項１７において、
前記第２のカム溝部分は、その一端が前記第２のカム溝端面によって規定されており、他端が前記第１のカム溝部分に繋がっていることを特徴とするインクジェットプリンタのヘッドメンテナンス機構。
【請求項１９】
請求項１８において、
前記円筒カムに形成されている前記カム溝は３６０度以内の角度範囲に亘って形成された連続したカム溝であることを特徴とするインクジェットプリンタのヘッドメンテナンス機構。
【請求項２０】
請求項１４ないし１８のうちのいずれかの項において、
前記円筒カムと一体回転するように当該円筒カムに同軸状態に配置された間欠歯車を有しており、
前記ワイパ側移動ピンが前記第１のカム溝端面に当接あるいは当接直前の位置に到る前記円筒カムの回転角度位置から前記キャップ側移動ピンが前記第２のカム溝端面に当接あるいは当接直前の位置に到る前記円筒カムの回転角度位置までの回転角度範囲を越えない所定の角度範囲に亘ってのみ、前記間欠歯車は前記駆動歯車に噛み合い状態とされることを特徴とするインクジェットプリンタのヘッドメンテナンス機構。
【請求項２１】
請求項１４ないし２０のうちのいずれかの項において、
前記インク吸引ポンプは、前記ポンプ歯車が前記第１の回転方向に回転する時のみポンピング動作を行うものであることを特徴とするインクジェットヘッドのヘッドメンテナンス機構。
【請求項２２】
請求項２１において、
前記インク吸引ポンプは前記円筒カムに対して同軸状に配置されたチューブポンプであることを特徴とするインクジェットプリンタのヘッドメンテナンス機構。
【請求項２３】
請求項１４ないし２０のうちのいずれかの項において、
前記キャップ側移動ピンを前記カム溝の底面に向けて付勢しているばね部材を有していることを特徴とするインクジェットプリンタのヘッドメンテナンス機構。